(57)【要約】【課題】利用者本人の情報を自動的に別人化して中継することで利用者本人の情報がネットワーク上に流出することを防止する情報中継装置、情報中継方法および情報中継プログラムを提供することを目的とする。【解決手段】情報中継装置１０は、情報配信要求があると、本人１の別人化情報を用いて、所定のサイトへ接続を行う。情報配信サーバ装置２０は、別人化情報を用いた情報配信要求を受信すると、情報中継装置１０に対して、所定の情報の配信を行う。情報中継装置１０は、情報配信サーバ装置２０から所定の情報を受信すると、別人化情報を本人情報に変換し、その本人情報に基づく配信先の本人１に当該所定の情報を送信する。【選択図】　図１
2004078580.tif 000002
【特許請求の範囲】
【請求項１】
利用者と、情報配信サーバ装置との間で情報の送受信が可能な情報中継装置であって、
前記利用者から取得した本人情報に関連付けて作成された別人化情報を記憶する別人化情報記憶手段と、
前記利用者からの情報配信要求に応じて、前記別人化情報を用いて前記情報配信サーバ装置からの情報の配信要求を行う配信要求手段と、
前記情報配信要求に応じて前記情報配信サーバ装置から送られた情報を取得し、当該情報を前記利用者に対して送信する情報送信手段と
を備えたことを特徴とする情報中継装置。
【請求項２】
利用者と、情報配信サーバ装置との間で情報の送受信が可能な情報中継装置であって、
前記利用者から取得した本人情報に関連付けて作成された別人化情報を記憶する別人化情報記憶手段と、
前記利用者から取得した本人決済情報に関連付けて作成された別人化決済情報を記憶する別人化決済情報記憶手段と、
前記利用者からの情報配信要求に応じて、前記別人化情報を用いて前記情報配信サーバ装置からの情報の配信要求を行う配信要求手段と、
前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する与信手段と、
前記与信結果に応じて前記情報配信サーバ装置から送られた前記所定の情報を取得し、当該情報を前記利用者に対して送信する情報送信手段と
を備えたことを特徴とする情報中継装置。
【請求項３】
利用者と、情報配信サーバ装置との間で情報の送受信が可能な情報中継方法であって、
前記利用者から取得した本人情報に関連付けて作成された別人化情報を記憶する第１のステップと、
前記利用者からの情報配信要求に応じて、前記別人化情報を用いて前記情報配信サーバ装置からの情報の配信要求を行う第２のステップと、
前記情報配信要求に応じて前記情報配信サーバ装置から送られた情報を取得し、当該情報を前記利用者に対して送信する第３のステップと
を有することを特徴とする情報中継方法。
【請求項４】
利用者と、情報配信サーバ装置との間で情報の送受信が可能な情報中継方法であって、
前記利用者から取得した本人情報に関連付けて作成された別人化情報を記憶する第１のステップと、
前記利用者から取得した本人決済情報に関連付けて作成された別人化決済情報を記憶する第２のステップと、
前記利用者からの情報配信要求に応じて、前記別人化情報を用いて前記情報配信サーバ装置からの情報の配信要求を行う第３のステップと、
前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する第４のステップと、
前記与信結果に応じて前記情報配信サーバ装置から送られた前記所定の情報を取得し、当該情報を前記利用者に対して送信する第５のステップと
を有することを特徴とする情報中継装置。
【請求項５】
利用者と、情報配信サーバ装置との間で情報の送受信が可能な情報中継プログラムであって、
前記利用者から取得した本人情報に関連付けて作成された別人化情報を記憶する別人化情報記憶機能、
前記利用者からの情報配信要求に応じて、前記別人化情報を用いて前記情報配信サーバ装置からの情報の配信要求を行う配信要求機能、
前記情報配信要求に応じて前記情報配信サーバ装置から送られた情報を取得し、当該情報を前記利用者に対して送信する情報送信機能
としてコンピュータを機能させることを特徴とする情報中継プログラム。
【請求項６】
利用者と、情報配信サーバ装置との間で情報の送受信が可能な情報中継プログラムであって、
前記利用者から取得した本人情報に関連付けて作成された別人化情報を記憶する別人化情報記憶機能、
前記利用者から取得した本人決済情報に関連付けて作成された別人化決済情報を記憶する別人化決済情報記憶機能、
前記利用者からの情報配信要求に応じて、前記別人化情報を用いて前記情報配信サーバ装置からの情報の配信要求を行う配信要求機能、
前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する与信機能、
前記与信結果に応じて前記情報配信サーバ装置から送られた前記所定の情報を取得し、当該情報を前記利用者に対して送信する情報送信機能
としてコンピュータを機能させることを特徴とする情報中継プログラム。
【発明の詳細な説明】
【０００１】
【発明の属する技術分野】
本発明は、情報中継装置、情報中継方法および情報中継プログラムに関する。
【０００２】
【従来の技術】
近年、家庭のＰＣ端末や携帯端末などからインターネットへの接続が可能となるに伴い、ネットワーク上の様々なサービスを受けることができるようになってきている。ＰＣ端末や携帯端末への情報提供などが行われるようになってきている。例えば、家庭に居ながら、ＰＣ端末に配信されてきた情報に基づいて、オンラインショッピングを行うことも可能となっている。
【０００３】
【発明が解決しようとする課題】
しかしながら、利用者本人がネットワーク上の所定のサイトにアクセスし、サービス申し込みを行う際、例えば、自分の電子メールアドレス、住所、電話番号、クレジットカード番号というような利用者本人の個人情報を提供し、登録することによりサービスを受けるようなことが多い。このように、ネットワーク上で個人情報を開示することは、個人情報がサービスサイトに流出してしまうという不安が生じる。
【０００４】
また、サービスの種類によっては、利用料金の支払いを行う必要があるものもあり、そのサービスにアクセスしたこと自体を他人に知られたくないような場合に、個人情報を入力すると、アクセスしたことが発覚してしまう恐れが生じる。また、特に、金品の授受とその決済が行われるような場合には、個人情報が信用となって決済が行われるので、開示したくない情報も開示する必要がある。利用者本人は、個人情報を開示したくないという理由で秘匿していたのでは、ネットワーク上のサービス自体を受けることができないものとなってしまう。
そこで、本発明は、上記事情に鑑みてなされたもので、利用者本人の情報を自動的に別人化して中継することにより、利用者本人の情報がネットワーク上に流出することを防止する情報中継装置、情報中継方法および情報中継プログラムを提供することを目的とする。
【０００５】
【課題を解決するための手段】
請求項１記載の発明では、利用者と、情報配信サーバ装置との間で情報の送受信が可能な情報中継装置であって、前記利用者から取得した本人情報に関連付けて作成された別人化情報を記憶する別人化情報記憶手段と、前記利用者からの情報配信要求に応じて、前記別人化情報を用いて前記情報配信サーバ装置からの情報の配信要求を行う配信要求手段と、前記情報配信要求に応じて前記情報配信サーバ装置から送られた情報を取得し、当該情報を前記利用者に対して送信する情報送信手段とを備えたことを特徴とする。
【０００６】
請求項２記載の発明では、利用者と、情報配信サーバ装置との間で情報の送受信が可能な情報中継装置であって、前記利用者から取得した本人情報に関連付けて作成された別人化情報を記憶する別人化情報記憶手段と、前記利用者から取得した本人決済情報に関連付けて作成された別人化決済情報を記憶する別人化決済情報記憶手段と、前記利用者からの情報配信要求に応じて、前記別人化情報を用いて前記情報配信サーバ装置からの情報の配信要求を行う配信要求手段と、前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する与信手段と、前記与信結果に応じて前記情報配信サーバ装置から送られた前記所定の情報を取得し、当該情報を前記利用者に対して送信する情報送信手段とを備えたことを特徴とする。
【０００７】
請求項３記載の発明では、利用者と、情報配信サーバ装置との間で情報の送受信が可能な情報中継方法であって、前記利用者から取得した本人情報に関連付けて作成された別人化情報を記憶する第１のステップと、前記利用者からの情報配信要求に応じて、前記別人化情報を用いて前記情報配信サーバ装置からの情報の配信要求を行う第２のステップと、前記情報配信要求に応じて前記情報配信サーバ装置から送られた情報を取得し、当該情報を前記利用者に対して送信する第３のステップとを有することを特徴とする。
【０００８】
請求項４記載の発明では、利用者と、情報配信サーバ装置との間で情報の送受信が可能な情報中継方法であって、前記利用者から取得した本人情報に関連付けて作成された別人化情報を記憶する第１のステップと、前記利用者から取得した本人決済情報に関連付けて作成された別人化決済情報を記憶する第２のステップと、前記利用者からの情報配信要求に応じて、前記別人化情報を用いて前記情報配信サーバ装置からの情報の配信要求を行う第３のステップと、前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する第４のステップと、前記与信結果に応じて前記情報配信サーバ装置から送られた前記所定の情報を取得し、当該情報を前記利用者に対して送信する第５のステップとを有することを特徴とする。
【０００９】
請求項５記載の発明では、利用者と、情報配信サーバ装置との間で情報の送受信が可能な情報中継プログラムであって、前記利用者から取得した本人情報に関連付けて作成された別人化情報を記憶する別人化情報記憶機能、前記利用者からの情報配信要求に応じて、前記別人化情報を用いて前記情報配信サーバ装置からの情報の配信要求を行う配信要求機能、前記情報配信要求に応じて前記情報配信サーバ装置から送られた情報を取得し、当該情報を前記利用者に対して送信する情報送信機能としてコンピュータを機能させることを特徴とする。
【００１０】
請求項６記載の発明では、利用者と、情報配信サーバ装置との間で情報の送受信が可能な情報中継プログラムであって、前記利用者から取得した本人情報に関連付けて作成された別人化情報を記憶する別人化情報記憶機能、前記利用者から取得した本人決済情報に関連付けて作成された別人化決済情報を記憶する別人化決済情報記憶機能、前記利用者からの情報配信要求に応じて、前記別人化情報を用いて前記情報配信サーバ装置からの情報の配信要求を行う配信要求機能、前記情報配信要求に応じて、前記情報配信サーバ装置から与信依頼があると、前記別人化決済情報に基づいて前記情報配信要求を行った利用者の与信を行い、与信結果を前記情報配信サーバ装置に送信する与信機能、前記与信結果に応じて前記情報配信サーバ装置から送られた前記所定の情報を取得し、当該情報を前記利用者に対して送信する情報送信機能としてコンピュータを機能させることを特徴とする。
【００１１】
【発明の実施の形態】
以下、本発明の情報中継装置、情報中継方法および情報中継プログラムの好適な実施形態について図１ないし図６を参照して詳細に説明する。
図１は、第１の実施形態に係る情報中継装置を含む情報中継システムの概略構成を示した図である。
情報中継装置１０は、本人情報を秘匿する秘匿サイトを管理しており、本人１とは、ネットワークを介して接続されている。また、情報中継装置１０は、各サイトを管理している情報配信サーバ装置２０と接続されており、この情報配信サーバ装置２０との間で各種情報の送受信が可能となっている。
【００１２】
ここで、簡単に本人１、情報中継装置１０、情報配信サーバ装置２０間での各種情報のやり取りについて説明する。
まず、本人１が情報中継装置１０の秘匿サイト上で本人情報を登録すると（図１のＳ１）、情報中継装置１０は、この登録された本人情報に関連付けられた別人化情報を作成し、記憶しておく。そして、情報中継装置１０は、本人１から秘匿サイト経由での情報配信サーバ装置２０のサイトへの情報配信要求があると、記憶しておいた当該本人１の別人化情報を用いて、所定のサイトへ接続を行う（同図のＳ２）。
【００１３】
情報配信サーバ装置２０は、別人化情報を用いた情報配信要求を受信すると、情報中継装置１０に対して、所定の情報（例えば、画像、音楽などのコンテンツをいう）の配信を行う（同図のＳ３）。情報中継装置１０は、情報配信サーバ装置２０から所定の情報を受信すると、別人化情報を本人情報に変換し、その本人情報に基づく配信先の本人１に当該所定の情報を送信する（同図のＳ４）。つまり、本発明の情報中継装置１０は、本人の情報を自動的に別人化して中継するようにしたところに特徴がある。
【００１４】
なお、本人１は、携帯電話、ＰＨＳ（Ｐｅｒｓｏｎａｌ　Ｈａｎｄｙ−ｐｈｏｎｅ　Ｓｙｓｔｅｍ；登録商標）、ＰＤＡ（Ｐｅｒｓｏｎａｌ　ＤｉｇｉｔａｌＡｓｓｉｓｔａｎｔ）、ＰＣ（Ｐｅｒｓｏｎａｌ　Ｃｏｍｐｕｔｅｒ）端末、専用端末などであり、情報中継装置１０と双方向の有線または無線通信が可能なインタフェースを搭載したものであればよいとする。
【００１５】
次に本実施の形態に係る情報中継装置１０の構成について図２を参照しながら説明する。
情報中継装置１０は、例えば、サーバ装置からなり、制御部１１、通信部１５、記憶部１６を備えている。
制御部１１は、回路各部を制御するＣＰＵ（中央処理装置）１１１、ＲＯＭ（リード・オンリ・メモリ）１１２、ＲＡＭ（ランダム・アクセス・メモリ）１１３から構成される。
通信部１５は、本人１や情報配信サーバ装置２０との間で、本人情報、情報配信要求、別人化情報、所定の情報などの送受信を行う。
【００１６】
記憶部１６は、プログラム格納部１７と、データ格納部１８とから構成される。
プログラム格納部１７には、別人化情報作成プログラム、配信要求プログラム、情報送信プログラムなどが格納されている。
別人化情報作成プログラムは、本人１から登録された本人情報に関連付けた別人化情報を作成するプログラムである。
【００１７】
配信要求プログラムは、本人１からの情報配信要求に応じて、別人化作成プログラムによって作成された別人化情報を用いて、情報配信サーバ装置２０に対して情報の配信要求を行うプログラムである。
情報送信プログラムは、情報配信要求に応じて情報配信サーバ装置２０から送信された情報を取得し、この情報を配信要求した本人１に対して送信するプログラムである。
制御部１１は、別人化情報作成プログラム、配信要求プログラム、情報送信プログラムに従って動作し、配信要求手段、情報送信手段などを実現する。
【００１８】
データ格納部１８は、別人化情報記憶手段として機能し、本人情報、本人属性情報、別人化情報などが格納されている。
本人情報は、本人１に関する情報であり、例えば、氏名、住所、電話番号、電子メールアドレス、性別、年齢、趣味などの情報をいう。
本人属性情報は、本人情報に関連付けられた別人化情報を作成するときの条件であり、例えば、名前を「伊藤」から「山本」というように別のものにするとか、登録住所を一括して秘匿サイトの住所にするというように、本人１の利用者が本人属性として登録可能な情報となっている。つまり、本人属性情報は、その属性からは第三者が本人を特定することができない情報をいう。
【００１９】
別人化情報は、本人情報に関連付けられ、別人化情報作成プログラムによって作成された情報である。別人化情報は、例えば、漢字にあらかじめ番号をあてはめておき、乱数を発生させて選んだ数字を名前とするようなものが挙げられる。このように、別人化情報は、本人情報として登録されている本人とは別の架空の人格として作成された情報をいう。
【００２０】
次に、第１の実施形態に係る情報中継装置１０における別人化情報を用いた情報中継の動作手順を、フローチャートである図３を参照して説明する。ここでは、一例として、本人１の利用者が情報中継装置１０の秘匿サイトを介して、情報配信サーバ２０から画像情報を取得する場合について説明する。なお、本人情報には、本人属性情報も含まれるものとして説明する。
まず、本人１の利用者は、情報中継装置１０の秘匿サイトにアクセスし、氏名、住所、電話番号などの本人情報を登録する（ステップＳ３１）。情報中継装置１０は、本人情報を取得すると（ステップＳ３０１）、別人化情報作成プログラムに従って、この本人情報に関連付ける別人化情報を作成する（ステップＳ３０３）。
【００２１】
本人１の利用者は、情報中継装置１０の秘匿サイトを経由で、情報配信サーバ装置２０の画像情報の配信サービスを受けたい場合、情報中継装置１０に対して、本人情報のままで情報配信要求を送信する（ステップＳ３３）。情報中継装置１０は、本人１から本人情報および情報配信要求を受信すると、あらかじめ登録してある本人情報に関連付けられた別人化情報をデータ格納部１８から読み出す。そして、この読み出した別人化情報を用いて、情報配信サーバ装置２０に対して画像情報の配信要求を行う（ステップＳ３０５）。
ここで情報配信サーバ装置１０に送信される別人化情報には、別人化された画像情報の配信先などが含まれている。
【００２２】
情報配信サーバ装置２０は、秘匿サイトで自動的に別人化情報を用いた情報配信要求を受信すると、この情報配信要求に応じて画像情報を情報中継装置１０に送信する（ステップＳ３１１）。情報中継装置１０は、画像情報を取得すると、データ格納部１８から情報配信サーバ装置２０に対して送信した別人化情報に関連付けられている本人情報を読み出す。そして、情報中継装置１０は、読み出した本人情報に含まれている配信先の本人１に、画像情報を送信する（ステップＳ３０７）。本人１の利用者は、送信されてきた画像情報を取得する（ステップＳ３５）。
このように、本実施の形態の情報中継装置１０によると、別人化した情報で情報配信サーバ装置２０に対して情報配信要求を行うので、情報配信サーバ装置２０側では本当の配信先を知らずに画像情報を送信することになり、本人１の利用者は、個人情報を開示せずに画像情報を取得することができる。すなわち、本人１の利用者は、本人情報を隠して、本人でないようにして各情報配信サーバ装置２０の各サイトから情報を取得することができる。
【００２３】
また、情報中継装置１０は、図４に示すようなシステムとしても適用することができる。情報中継装置１０の秘匿サイトには、個人情報（本人情報）が記憶されているので、企業３０は、情報中継装置１０の秘匿サイト経由で各種の情報を、電子メール、ダイレクトメールなどによって、ある特定の属性に該当する個人に提供できるようになっている。
【００２４】
ここで、簡単に企業３０、情報中継装置１０、該当者Ａさん、Ｂさん、Ｃさん間での各種情報のやり取りについて説明する。
まず、企業３０は、情報中継装置１０の秘匿サイト上にアクセスし、情報を提供したい属性層を選択して登録する（図４のＳ４１）。情報中継装置１０は、この登録された属性層の情報に該当する該当者をデータ格納部１８の本人属性情報、本人情報などから読み出し、企業３０が提供する情報を該当者Ａさん、Ｂさん、Ｃさんに配信する（同図のＳ４２）。該当者Ａさん、Ｂさん、Ｃさんは、企業３０から提供された情報を情報中継装置１０の秘匿サイト経由で受け取るので、企業３０に対して、配信先が開示されることを防止することができる。
【００２５】
次に、第２の実施形態の情報中継装置１０について図５および図６を参照しながら説明する。
図５は、第２の実施形態に係る情報中継装置１０を含む情報中継システムの概略構成を示した図である。
この実施形態では、情報中継装置１０は、本人情報を秘匿する秘匿サイトと、擬似決済を行う決済サイトも管理しており、本人１とは、ネットワークを介して接続されている。また、情報中継装置１０は、各サイトを管理している情報配信サーバ装置２０と接続されており、この情報配信サーバ装置２０との間で各種情報の送受信が可能となっている。さらに、情報中継装置１０は、クレジット決済などを行う提携金融機関４０とも接続されている。
【００２６】
ここで、簡単に本人１、情報中継装置１０、情報配信サーバ装置２０、提携金融機関４０間での各種情報のやり取りについて説明する。なお、決済情報は、情報配信サーバ装置２０から送信される情報が有料であり、決済を行う場合に必要となる情報である。本人１によって情報中継装置１０の秘匿サイトで本人情報および決済情報が登録され、情報中継装置１０が別人化情報を用いた情報配信要求を行うまでは、図１と同様である。
情報配信サーバ装置２０は、配信要求を受信すると（図５のＳ５１）、決済要求を情報中継装置１０に対して送信する（同図のＳ５２）。情報中継装置１０は、決済要求を取得すると、別人化決済情報を情報配信サーバ装置２０に送信する。情報配信サーバ装置２０は、この別人化決済情報を受信すると、情報中継装置１０へ決済に関する与信依頼を行う。そして、情報配信サーバ装置２０は、与信確認の結果を取得すると、配信要求された情報を情報中継装置１０に送信する（同図のＳ５３）。情報中継装置１０は、情報配信サーバ装置２０から所定の情報を本人１に送信する（同図のＳ５４）。
【００２７】
また、図示しない第２の実施形態の情報中継装置１０は、第１の実施形態とプログラム格納部１７およびデータ格納部１８の構成が異なる。
プログラム格納部１７には、別人化決済情報作成プログラム、配信要求プログラム、情報送信プログラム、与信プログラムなどが格納されている。
別人化決済情報作成プログラムは、本人１から登録された本人決済情報に関連付けた別人化決済情報を作成するプログラムである。
【００２８】
与信プログラムは、情報配信要求に応じて情報配信サーバ装置２０から与信依頼があると、別人化決済情報に基づいて情報配信要求を行った利用者の与信を行い、与信結果を情報配信サーバ装置２０に送信するプログラムである。
情報送信プログラムは、与信結果に応じて情報配信サーバ装置２０から送信された情報を取得し、この情報を配信要求した本人１に対して送信するプログラムである。
制御部１１は、与信プログラムに従って動作し、与信手段などを実現する。
【００２９】
データ格納部１８は、別人化情報記憶手段、別人化決済情報記憶手段として機能し、本人情報、本人属性情報、本人決済情報、別人化決済情報などが格納されている。
本人情報、本人属性情報、別人化情報は、第１の実施形態と同様である。
本人決済情報は、提携金融機関４０が決済を行うのに必要な情報であり、例えば、クレジットカード情報、口座振替情報、クレジットカード番号、有効期限などの情報をいう。
別人化決済情報は、本人決済情報に関連付けられ、別人化決済情報作成プログラムによって作成された情報である。別人化決済情報は、例えば、所定のクレジット番号を架空の番号に置き換えたリ、架空の文字列に変換したりして作成された情報をいう。与信プログラムでは、この架空の番号である別人化決済情報を一旦、本人決済情報のクレジット番号に置き換えて、提携金融機関４０へ与信確認を行うようになっている。
【００３０】
次に、第２の実施形態に係る情報中継装置１０における別人化情報を用いた情報取得および決済の動作手順を、フローチャートである図６を参照して説明する。ここでは、一例として、本人１の利用者が情報中継装置１０の秘匿サイトを介して、情報配信サーバ２０から有料の情報を取得する場合について説明する。なお、情報中継装置１０と、提携金融機関４００とは、提携関係にあるものとして説明する。
本人１の利用者は、情報中継装置１０の秘匿サイトにアクセスし、氏名、住所、電話番号などの本人情報と、クレジットカード番号、クレジット会社などの本人決済情報を登録する（ステップＳ６１）。情報中継装置１０は、本人情報、本人決済情報を取得すると（ステップＳ６０１）、別人化情報作成プログラム、別人化決済情報作成プログラムに従って、本人情報、本人決済情報に関連付ける別人化情報、別人化決済情報を作成する（ステップＳ６０３）。
【００３１】
本人１の利用者は、情報中継装置１０の秘匿サイトを経由で、情報配信サーバ装置２０から有料情報の配信サービスを受けたい場合、情報中継装置１０に対して、本人情報のままで情報配信要求を送信する（ステップＳ６３）。情報中継装置１０は、本人１から本人情報および情報配信要求を受信すると、データ格納部１８から読み出した別人化情報を用いて、情報配信サーバ装置２０に対して有料情報の配信要求を行う（ステップＳ６０４）。
情報配信サーバ装置２０は、秘匿サイトで自動的に別人化情報を用いた情報配信要求を受信すると、配信要求されている情報が有料であるので、決済情報の送信依頼（決済要求）を情報中継装置１０に送信する（ステップＳ６１１）。
【００３２】
情報中継装置１０は、決済要求を受信すると、別人化情報を本人情報に変換し、この本人情報に関連して登録してある本人決済情報を読み出す。そして、情報中継装置１０は、この読み出した本人決済情報に関連付けられた別人化決済情報を情報配信サーバ装置２０へ送信する（ステップＳ６０５）。
情報配信サーバ装置２０は、別人化決済情報を取得すると、与信依頼を情報中継装置１０に送信する（ステップＳ６１３）。この与信依頼は、別人化決済情報に該当する別人化情報に対して行われるものであり、情報配信サーバ装置２０では与信依頼（与信確認）を行い、与信確認は、情報中継装置１０によって行われるようになっているか、もしくは外部の与信機関に与信を依頼する。
【００３３】
情報中継装置１０は、与信依頼があると、当該別人化決済情報を本人情報および当該本人の決済情報に変換し、提携金融機関４０に対して与信の確認を行う（ステップＳ６０６）。そして、与信結果として、当該別人化決済情報の利用者が信用できるという確認が取れると、情報中継装置１０は、与信結果を情報配信サーバ装置２０に送信する（ステップＳ６０７）。
情報配信サーバ装置２０は、当該別人化決済情報の利用者が信用できるという与信結果を取得すると、この結果に応じて、配信要求されていた所定の情報を情報中継装置１０に送信する（ステップＳ６１５）。そして、情報中継装置１０は、データ格納部１８から読み出した本人情報に含まれている配信先の本人１に、この情報を送信する（ステップＳ６０８）。本人１の利用者は、送信されてきた情報を取得する（ステップＳ６５）。
【００３４】
なお、実際の決済は、情報中継装置１０によって別人化決済情報が本人決済情報に復元され、提携金融機関４０において行われるものとする。
このように、本実施の形態の情報中継装置１０によると、別人化した決済情報で情報配信サーバ装置２０にアクセスするので、本人１の利用者は、決済に関する個人情報を開示せずに有料の情報を取得することができ、決済も行うことができる。
【００３５】
以上、本発明の情報中継装置、情報中継方法および情報中継プログラムにおける一実施形態について説明したが、本発明は説明した実施形態に限定されるものではなく、各種の変形を行うことが可能である。
例えば、あらかじめ登録された本人情報に基づいて、別人化情報が作成されているものとして説明したが、これに限られるものではない。情報中継装置１０の秘匿サイト経由で情報配信サーバ装置２０への配信要求を初めて行う場合には、本人１から本人情報を取得した時点で、情報中継装置１０が別人化情報作成プログラムに従って、別人化情報を作成してもよい。また、情報中継装置１０は、作成された別人化情報をデータ格納部１８に記憶することにより、後に同じ本人情報を取得した場合、別人化情報作成を行う必要がなく、情報配信要求処理速度を高速化することができる。
また、本人決済情報も同様に、情報中継装置１０の秘匿サイト経由で情報配信サーバ装置２０へ有料情報の配信要求を初めて行う場合に、決済要求があったとき登録するようにしてもよい。
【００３６】
【発明の効果】
以上説明したように、本発明の情報中継装置、情報中継方法および情報中継プログラムは、利用者からの情報配信要求に応じて、本人情報を別人化情報に変換し、この別人化情報を用いて情報配信サーバ装置との間で情報の中継を行うので、利用者は、個人情報を開示せずに情報をすることができる。
また、本発明の情報中継装置、情報中継方法および情報中継プログラムは、別人化した決済情報で情報配信サーバ装置にアクセスし、決済要求に応じて与信結果を送信するので、利用者は、決済に関する個人情報を開示せずに有料の情報を取得し、決済を行うことができる。
【図面の簡単な説明】
【図１】第１の実施形態に係る情報中継装置を含む情報中継システムの概略構成を示した図である。
【図２】情報中継装置の概略構成を示した図である。
【図３】第１の実施形態に係る情報中継装置における別人化情報を用いた情報中継の動作手順を示したフローチャートである。
【図４】情報中継装置の別の利用形態を示した図である。
【図５】第２の実施形態に係る情報中継装置を含む情報中継システムの概略構成を示した図である。
【図６】第２の実施形態に係る情報中継装置における別人化情報を用いた情報取得および決済の動作手順を示したフローチャートである。
【符号の説明】
１　　　　本人
１０　　　情報中継装置
１１　　　制御部
１５　　　通信部
１６　　　記憶部
１７　　　プログラム格納部
１８　　　データ格納部
２０　　　情報配信サーバ装置
【図１】
2004078580.tif 000003
【図２】
2004078580.tif 000004
【図３】
2004078580.tif 000005
【図４】
2004078580.tif 000006
【図５】
2004078580.tif 000007
【図６】
2004078580.tif 000008